(57)【要約】【課題】安価で設置場所の影響が少なく、容易に施工可能なガラスに貼合するフィルムセンサを提供することにある。更に侵入窃盗の犯罪で比率の高い「ガラス破り」に対応した防犯性の高いフィルムを提供することを目的とする。【解決手段】透明基材の一方の面の全部又は一部に透明である第一の導電層が形成され、もう一方の面の一部に第二の導電層が形成され、  かつ第一の導電層及び第二の導電層に、第一の導電層及び第二の導電層の間の静電容量の変化を検出する検出回路が接続されてなることを特徴とするフィルムセンサとする。【選択図】図１
2007219596.tif 000002
【特許請求の範囲】
【請求項１】
透明基材の一方の面の全部又は一部に透明である第一の導電層が形成され、もう一方の面の一部に第二の導電層が形成され、
かつ第一の導電層及び第二の導電層に、第一の導電層及び第二の導電層の間の静電容量の変化を検出する検出回路が接続されてなることを特徴とするフィルムセンサ。
【請求項２】
前記第二の導電層がフィルムセンサの外周に沿って枠状に形成されている請求項１に記載のフィルムセンサ。
【請求項３】
透明基材の一方の面の一部に透明である第一の導電層が形成され、同一面の一部に透明である第二の導電層が形成され、
かつ第一の導電層及び第二の導電層に、第一の導電層及び第二の導電層の間の静電容量の変化を検出する検出回路が接続されてなることを特徴とするフィルムセンサ。
【請求項４】
前記第一の導電層又は第二の導電層のうち一方の導電層がフィルムセンサの外周に沿って枠状に形成されており、もう一方の導電層が、その内側に形成されていることを特徴とする請求項３に記載のフィルムセンサ。
【請求項５】
前記透明基材片面又は両面にが、１枚又は複数枚の透明フィルムが粘着層又は接着層を介しり合わせてなることを特徴とする請求項１〜４のいずれかに記載のフィルムセンサ。
【請求項６】
最外層に粘着層又は接着層が形成されていることを特徴とする請求項１〜５のいずれかに記載のフィルムセンサ。
【請求項７】
前記粘着層又は接着層が形成されている透明基材の粘着層又は接着層形成面の反対面に、ハードコート層が形成されている請求項６記載のフィルムセンサ。
【請求項８】
前記透明基材が多層構造であることを特徴とする請求項１〜７のいずれかに記載のフィルムセンサ。
【請求項９】
紫外線吸収機能及び／又は赤外線吸収機能有することを特徴とするる請求項１〜８のいずれかに記載のフィルムセンサ。
【請求項１０】
前記フィルムセンサが貼り付けてあるガラス構造物。
【請求項１１】
前記ガラス構造物が窓ガラスであることと特徴とするガラス構造物。
【発明の詳細な説明】
【技術分野】
【０００１】
フィルムセンサに関し、詳しくはフィルムに接近し、或いは接触する物体、人体の存在を検出するフィルム状の静電容量センサに関する。
【背景技術】
【０００２】
窓ガラスの静電容量を検出する技術としては、窓ガラスに直接透明電極を形成し、雨や結露の検出する静電容量センサが知られている。更に特許文献１では、導電性フィルムとアースされている窓の枠体との静電容量変化を検出する検出回路を備えたガラスセンサが提案されている。
【０００３】
一方、最近の防犯に関しては、多層ラミネートや多層押し出しした積層フィルムが用いられてきている。この背景として、窓からの侵入が大幅に増加していることがある。警察庁の発表の「平成１７年上半期の犯罪情勢」では、侵入窃盗の犯罪の手段に関して、「ガラス破り」の比率が最も高く、この傾向は数年続いている。
【０００４】
【特許文献１】特開２００１−８０４８５７号公報
【発明の開示】
【発明が解決しようとする課題】
【０００５】
先述の方法では、静電容量のガラスセンサとして非常によく考えられている。検出電極となる導電性フィルムの対極がアースされたガラス窓の枠体と決まっているので検出安定性に優れている。しかしガラス窓のアースされている枠体を対極としているため、ガラスセンサを具備するためには、窓枠すべてを交換しなければならず、既に建てられた住宅では大がかりな改造が必要になってしまう。また各住宅で窓枠の大きさ異なり、住宅内でも様々なサイズのガラス窓が存在するため、検出回路の容量調整が施工時に煩雑となってしまう。一方、窓枠の保温性と結露防止、軽量化のために樹脂で出来た窓枠も最近登場しているが、樹脂の窓枠は対極として使用できない問題が発生していた。
【０００６】
本発明では、安価で設置場所の影響が少なく、容易に施工可能なガラスに貼合するフィルムセンサを提供することにある。更に侵入窃盗の犯罪で比率の高い「ガラス破り」に対応した防犯性の高いフィルムを提供することにある。
【課題を解決するための手段】
【０００７】
課題を解決するための手段として、
請求項１記載の発明は、透明基材の一方の面の全部又は一部に透明である第一の導電層が形成され、もう一方の面の一部に第二の導電層が形成され、
かつ第一の導電層及び第二の導電層に、第一の導電層及び第二の導電層の間の静電容量の変化を検出する検出回路が接続されてなることを特徴とするフィルムセンサである。
【０００８】
請求項２記載の発明は、前記第二の導電層がフィルムセンサの外周に沿って枠状に形成されている請求項１に記載のフィルムセンサである。
【０００９】
請求項３記載の発明は、透明基材の一方の面の一部に透明である第一の導電層が形成され、同一面の一部に透明である第二の導電層が形成され、
かつ第一の導電層及び第二の導電層に、第一の導電層及び第二の導電層の間の静電容量の変化を検出する検出回路が接続されてなることを特徴とするフィルムセンサである。
【００１０】
請求項４記載の発明は、前記第一の導電層又は第二の導電層のうち一方の導電層がフィルムセンサの外周に沿って枠状に形成されており、もう一方の導電層が、その内側に形成されていることを特徴とする請求項３に記載のフィルムセンサである。
【００１１】
請求項５記載の発明は、前記透明基材片面又は両面にが、１枚又は複数枚の透明フィルムが粘着層又は接着層を介しり貼り合わせてなることを特徴とする請求項１〜４のいずれかに記載のフィルムセンサである。
【００１２】
請求項６記載の発明は、最外層に粘着層又は接着層が形成されていることを特徴とする請求項１〜５のいずれかに記載のフィルムセンサである。
【００１３】
請求項７記載の発明は、前記粘着層又は接着層が形成されている透明基材の粘着層又は接着層形成面の反対面に、ハードコート層が形成されている請求項６記載のフィルムセンサである。
【００１４】
請求項８記載の発明は、前記透明基材が多層構造であることを特徴とする請求項１〜７のいずれかに記載のフィルムセンサである。
【００１５】
請求項９記載の発明は、紫外線吸収機能及び／又は赤外線吸収機能有することを特徴とするる請求項１〜８のいずれかに記載のフィルムセンサである。
【００１６】
請求項１０記載の発明は、前記フィルムセンサが貼り付けてあるガラス構造物である。
【００１７】
請求項１１記載の発明は、前記ガラス構造物が窓ガラスであることと特徴とするガラス構造物である。
【発明の効果】
【００１８】
先述の方法と異なり、本発明においては、検出電極となる導電性フィルムの対極が同一面、若しくは反対面に形成されているもう一つの導電層となっているため、一つのフィルム内で静電容量の変化が検出できるため検出安全性に優れている。更にガラスにフィルムセンサを設置するためには、窓枠の交換が必要なく、既に建てられた住宅も改造は不要であり安価に設置可能である。また各住宅で窓枠の大きさ異なることに対しても、予め窓のサイズの寸法を測定しておいて、設置前にフィルムセンサを予定の寸法にカットして検出回路の容量調整を行うことが可能となるため、施工時に非常に簡易に設置が可能となる。
【００１９】
さらに、透明基材を多層構造とすることにより、突き刺し強度や引き裂き強度が増す。ガラスにフィルムセンサを貼合後することによりガラスを破って家や建築物内に侵入し難くすることができ、「ガラス破り」に対応した防犯性の高いフィルムを提供することが可能である。このような構造のフィルムは、当然地震災害時に発生するガラス飛散に対しても高い防止機能を併せ持つ。
【００２０】
本発明によるフィルムセンサは窓ガラスのようなガラス構造物に貼合せることにより、ガラス構造物に近づいた時に検出回路より出力信号を発し、アナウンス等のガイドを行ったり、警報等の防犯機能を行ったり、幅広い用途で効果を発揮する。また、例えばショーケースやショーウィンドウ等の、意匠性の点から窓枠を省くことの多い窓ガラスのようなものにも有効である。
【発明を実施するための最良の形態】
【００２１】
以下、本発明の実施の形態に関し、図面を用いて詳細に説明する。
図１、図３〜図８は、本発明のフィルムセンサの層構成の一例である。
図２は、検出回路の等価回路の一例である。
【００２２】
本発明に係るフィルムセンサは、住居や店舗、博物館や美術館のガラス窓の防犯システム用のセンサであり、更にセンサを貼合した窓ガラス等からのガラスを破って屋内へ侵入する「ガラス破り」に対して高い防犯性を付与した高い防犯機能を有するフィルムセンサである。具体的には、第一は侵入者がフィルムセンサに接近、若しくは接触すると検出回路から出力信号が発せられ、警報等が作動するというセンサ機能である。第二はフィルムセンサを中心基材として粘着剤や接着剤を用いて多層構造とすることにより突き差しや引き裂きに対して高い耐性を同時に有する防犯機能である。
【００２３】
本発明のフィルムセンサの動作について図１と図２を用いて説明する。図１に示す様に本発明のフィルムセンサ１１は透明基材１２、透明である第一の導電層１３と、反対面の一部に第二の導電層１４が形成され、第一の導電層及び第二の導電層に、第一の導電層及び第二の導電層間の静電容量の変化を検出する検出回路１５が接続された構造となっている。
ここで、透明である第一の導電層１３は、第二の導電層１４の間で静電容量の変化を検出できれば、透明基材１２の全面に設けても良いし、一部に設けても良い。また、第二の導電層は、透明、半透明であっても良いし、透明でなくてもよい。フィルムセンサを窓材に貼り合わせて用いる場合、透明であれば、設ける位置によらず、良好な視認性が得られるため好ましい。透明でない場合は、視認性に悪影響のない位置に設けることが好ましい。
【００２４】
検出回路は、特に制限されるものではないが、最も簡単で一般的な方法として、例えば図２示すようなブリッジ回路２１が適用できる。ブリッジ回路は、静電容量２２、静電容量２３、静電容量２４、静電容量２５からなり、静電容量２４がフィルムセンサ１１になるように電気結線されている。静電容量２２と静電容量２４間の点Ａと、静電容量２３と静電容量２５間の点Ｂ間の電気信号の変化を測定するように比較回路２７が設けられている。フィルムセンサ動作時には、ブリッジ回路へ交流信号発信部２６より交流信号を流すようになっている。
【００２５】
侵入者２８がフィルムセンサに接近、若しくは接触すると容量２４に侵入者の浮遊容量２９が加わり静電容量が変化するため、点Ａと点Ｂ間の電気信号が変化する。この変化量がある数値レベル以上（しきい値設定）になると出力信号を出すようにすることによりフィルムセンサとして動作する。出力信号を受け取るコントローラや警報器と組み合わせることにより警報システム（図示せず）を構成でき、防犯システムとして機能させることが可能となる。
【００２６】
本実施の形態では、静電容量２４がフィルムセンサ１１となっている。検出電極となる導電層（図１及び図３では第一の導電層１３、３３）をほぼフィルム全面に形成してフィルムセンサ全面で検出可能とし、且つ対極側となる導電層（図１及び図３では第二の導電層１４、３４）をフィルムセンサー内に形成することが必要である。
【００２７】
本実施の形態では、検出回路として最も簡単で一般的な方法であるブリッジ回路２１を適用している。通常の状態（侵入者が接近していない、若しくは接触していない場合）では、検出電極と対極間の静電容量とブリッジ回路のその他の静電容量の間には以下の関係が成り立って平衡状態になっている、
Ｚ１・Ｚ３＝Ｚ２・Ｚ４    
静電容量２２  ：  Ｃ１      インピーダンス  Ｚ１＝１／ωＣ１
静電容量２３  ：  Ｃ３      インピーダンス  Ｚ３＝１／ωＣ３
静電容量２４  ：  Ｃ４      インピーダンス  Ｚ４＝１／ωＣ４
静電容量２５  ：  Ｃ２      インピーダンス  Ｚ２＝１／ωＣ２
（ω：交流信号の振動の角周波数）
これを通常状態とすると、侵入者が接近、若しくは接触した場合に、Ｚ３が変化することにより平衡状態が崩れて差を検出することが出来る。従来の窓枠等では、窓枠やガラス窓等のサイズがそれぞれ異なるので、結果として静電容量２４とインピーダンスＺ３自体が取り付け状態（窓枠形状等）で色々な数値を取り得てしまう。このため窓枠毎に静電容量２２、２３、２５の調整が必要になり、施工時に調整する場合は大変煩雑な作業となってしまう。これに対して、本発明では検出電極と対極がフィルムセンサの内部に形成されているため、フィルムセンサ作製時に静電容量２４の値が決まり、且つ設置環境に影響されず極めて安定な検出が可能になる。
【００２８】
前記記載の動作は、図４に示した透明である第一の導電層４３と、透明である第二の導電層４４が透明基材４２の同一面に形成されたフィルムセンサ４１に対しても同様である。フィルムセンサ４１は導電層が同一面に形成されているため、透明基材の両面に導電層を設ける場合に比べ、フィルムの厚みには影響されないという特徴がある。
ここで、第一の導電層および第ニの導電層が透明であることにより、良好な視認性が得られるものである。また、、第一の導電層および第ニの導電層は、二つの導電層間で静電容量の変化を検出できれば、大きさ、設ける位置に特に制限はないものである。
【００２９】
図３または図５に示すように、対極を窓枠上に第一の導電層３３、５３の外周に沿って第二の導電層３４、５４を形成することにより、第一の導電層３３、５３から第二の導電層３４、５４までの距離がどの部分をとっても均一になるので、第一の導電層３３、５３に侵入者が近づいたり接触したりした時に検出が安定するので好適である。なお、図３は、第一の導電層、第ニの導電層を透明基材の異なる面に設けた例であり、図５は第一の導電層、第ニの導電層を透明基材の同一面に設けた例である。
【００３０】
＜透明基材＞
透明基材には、透明性を有するフィルム状の無機化合物成形物または有機化合物成形物が挙げられるが、そのフレキシビリティーと軽量性、それに何よりも加工性の点から有機化合物が好適であり、成形物の形状は表面が平滑であれば特に限定されない。また透明基材は、透明性を有すれば単一有機化合物成形物の均質構造（例えば光学的に異方性のない）が可能である。一方、フィルムの強度を強化するために同一、又は異なる有機化合物成形物を粘着・接着剤により積層構造体化した積層フィルムや、フィルムの成型時に多層構造化としたフィルムも使用可能である。
多層、積層構造を有するフィルムを用いると、侵入者の侵入を効果的に防ぐことができ、好ましい。
【００３１】
透明性を有する有機化合物としては、例えば、ポリアミド、ポリイミド、ポリプロピレン、ポリエチルペンテン、ポリ塩化ビニル、ポリビニルアセタール、ポリウレタン、ポリエチルメタクリレート、ポリカーボネート、ポリスチレン、ポリエチレンサルファイド、ポリエーテルスルフォン、ポリアリレート、ポリエーテルエーテルケトン、ポリエチレンテレフタレート、ポリエチレンナフタレート、トリアセチルセルロース等のプラスチックが挙げられる。特にポリエチレンテレフタレート、ポリエチレンナフタレート、ポリカーボネート等のプラスチックフィルムが透明性、強度、価格等から好適である。前記プラスチックフィルムの厚さは、目的の用途に応じて２５〜３００μｍの範囲から適宜選択され、更に目的の用途に応じて、紫外線吸収剤、赤外線吸収剤、可塑剤、滑剤、着色剤、酸化防止剤、難燃剤等が添加さてれていても特に構わないし制約を加えるものではない。
【００３２】
＜導電層＞
本発明フィルムセンサを構成する第一の導電層、第二の導電層としては、電気伝導性があれば特に制限されないが、インジウム、錫、亜鉛、チタン、ニオブ、セリウム、アンチモン等の酸化物、及び２種類以上の元素から成る複合酸化物が好適である。また、銀及び銀合金を透明酸化物で狭支した多層膜も使用可能である。
形成方法も特に制限されるものではないが、ドライ法として真空蒸着法、イオンプレーティング法、プラズマ活性化蒸着法、スパッタリング法、ＣＶＤ法などがあり、Ｗｅｔ法としてゾルゲルや導電性を有する粒子を分散させ塗液を塗布乾燥する方法などがある。
また、上記材料を用いた場合、透明な導電層の形成が可能であるが、第二導電層は、設ける位置によっては、必ずしも透明でなくても良い。
例えば、導電性の金属、導電性の金属粒子などを含む導電性インキ、カーボンシートなどを用いることができる。
【００３３】
＜粘着層・接着層＞
粘着層、接着層は、フィルムの貼り合わせとガラスへの貼り合わせに用いられる。使用に際して明確に区別することはないが、ガラスに貼り合わせる面を粘着剤とするのが良い。その理由は、粘着剤とガラスが接すると、ガラスが割れた時に粘着剤がガラスの飛散を防止するために「ガラス破り」に対して有効となり、防犯性能が高くなるからである。多層数も要求特性に合わせて適宜決めることが可能である。粘着剤としては、ポリアクリル酸エステルを主成分したアクリル系粘着剤、シリコーン樹脂を主成分としたシリコーン系粘着剤、また天然ゴム、合成ゴムの弾性体と粘着付与剤が主成分のゴム系粘着剤等がある。使用可能な粘着剤に制限は無いが、本発明における粘着剤としては、アクリル系あるいはシリコーン系の粘着剤が好ましい。接着剤としては、エポキシ樹脂、ウレタン樹脂、不飽和ポリエステル樹脂、ビニルエステル樹脂等が使用可能である。
【００３４】
＜ハードコート＞
ハードコート層は、フィルムセンサ表面の高硬度化が目的で形成する。その効果は、鉛筆等による引っ掻き傷、スチールウールによる擦り傷等が起こらない耐禍性処理である。ハードコート層を形成する材料としては、透明性、適度な硬度および機械的強度を有するものであれば良く、アクリル系樹脂、有機シリコーン系樹脂、ポリシロキサン等の樹脂材料が挙げられる。またハードコート層を塗工する際に、塗工液に樹脂フィラーや無機のフィラーを混合させることにより高硬度化することや、フィルム自体を不透明化しプライバシー保護機能の付与も可能であり、各々適宜使用しても構わない。
【００３５】
＜紫外線吸収層・赤外線吸収層＞
本発明のフィルムセンサには紫外線吸収層及び／又は赤外線吸収機能を付与することができる。
具体的には、例えば前記粘着層ハードコート層に紫外線吸収機能及び／又は赤外線吸収機能を設けることができる。また透明基材として、上記の様な紫外線吸収剤、赤外線吸収剤を含有させた可視域で透明なプラスチックフィルムを基材として用いることも可能である。
紫外線吸収層、及び赤外線吸収層は、太陽光線中の紫外線及び赤外線が室内に入射するのを低減させる機能である。方法として、紫外線、又は赤外線吸収剤を含む皮膜を形成したり、粘着層及び接着層、またはハードコート層に混ぜて各々の層を形成したりすればよい。形成方法は特に制限されない。
【００３６】
紫外線吸収剤としては、サリチル酸系、ベンゾフェノン系、ベンゾトリアゾール系、シアノアクリレート系などの有機系と、酸化鉄、酸化亜鉛、酸化チタン、酸化インジウム等の無機微粒子系があり、要求特性に合わせて単独、または混合して使用して構わない。
【００３７】
赤外線吸収剤としては、赤外線吸収色素等の有機系と導電性の無機微粒子の様な無機系があり、各々要求に応じて使用できる。有機系としては、フタロシアニン系やシアニン系の有機色素がある。無機系としては、酸化スズ、酸化インジウム、酸化亜鉛、酸化タングステン、酸化クロム、酸化モリブデン、アンチモン含有酸化スズ、インジウム含有酸化スズ微粒子がある。このうち、可視光領域に光吸収性のない材料が好適である。紫外線、又は赤外線吸収剤を固定する樹脂として、主にアクリル系樹脂、ポリエステル樹脂、アルキド樹脂、ポリウレタン樹脂、エポキシ樹脂、アミノ樹脂、ビニル樹脂等の熱可塑性樹脂が一般に使用される。またフィルムセンサの透明導電層で用いた透明酸化物材料は、赤外線領域に電気伝導性に起因した吸収性能、紫外線領域にバンドギャップに起因した吸収性能を有しているため、被膜を形成して紫外線、赤外線吸収層の両方の効果を付与することが可能である。
【００３８】
＜他の構成例＞
また、第一の導電層、第二の導電層を有する透明基材の片面又は両面に、１枚又は複数枚の透明フィルムを粘着層又は接着層を介しり貼り合わせてもよい。
このようにすることで、多層化することができ、侵入者の侵入を効果的に防ぐことができる。
透明フィルムとしては、前記透明基材と同様の用いることができる。粘着層又は接着層に用いる粘着剤又は接着剤は前述のものを用いることができる。
【００３９】
＜ガラス窓＞
本発明のフィルムセンサを貼り付ける対象として、窓ガラスのようなガラス構造物を挙げたが、これに限らず、透明で強度があり窓やショーウィンドウとして使用可能であれば特に制限されず、合成樹脂板等でも可能である。また貼合したフィルムセンサの誤動作を防ぐために、動作許可信号を用意し動作を制限することも可能である。例として、窓ガラスなどにマイクロスイッチを設置する等が好適である。
【実施例】
【００４０】
以下、実施例により本発明を詳細に説明する。実施例は本発明実施の例であり、本発明の内容はこれらに限定されるものではない。
【００４１】
＜実施例１＞
図１に示すように、透明基材１２として、厚さ１００μｍのポリエチレンテレフタレートフィルム（（以下、ＰＥＴフィルムと記す）上に、第一の透明導電層１３及び第二の透明導電層１４としてインジウム錫酸化物（以下ＩＴＯと称す）を形成し、上記の二つの導電層間の静電容量の変化を検出する検出回路１５を結線してフィルムセンサ１１とした。ＩＴＯのシート抵抗値は２ｋΩ／□となるように形成した。交流信号発信部より交流信号として矩形波を発信し、矩形波の周波数は１００ｋＨｚとした。図２に示す点Ａと点Ｂの交流信号の比較は、比較回路において点Ａの交流信号はそのままで、点Ｂの交流信号は極性を反転して、それぞれの信号の足し算を行う。通常状態では、ブリッジ回路が平衡状態であり、点Ａと点Ｂは同じ波形の交流信号となっているので、点Ａの交流信号と極性が反転した点Ｂ交流信号を足し算すると常に零となった。次ぎに、第一の透明導電層１３に手を接触させると、比較回路では信号が出力された。これはブリッジ回路の平衡状態が変化したことを示し、フィルムセンサとして機能することが出来た。
【００４２】
＜実施例２＞
図３に示すように、透明基材３２として、厚さ１００μｍのＰＥＴフィルム上に、第一の透明導電層３３及び第二の透明導電層３４としてインジウム錫酸化物（以下ＩＴＯと称す）を形成し、上記の二つの導電層間の静電容量の変化を検出する検出回路３５を結線してフィルムセンサ３１とした。ＩＴＯのシート抵抗値は２ｋΩ／□となるように形成した。発信する交流信号、及び交流信号の比較方法は実施例１と同様にして行った。通常状態では、ブリッジ回路が平衡状態であり、点Ａと点Ｂは同じ波形の交流信号となっているので、点Ａの交流信号と極性が反転した点Ｂ交流信号を足し算すると常に零となった。次ぎに、第一の透明導電層１３に手を接触させると、比較回路では信号が出力された。これはブリッジ回路の平衡状態が変化したことを示し、フィルムセンサとして機能することが出来た。
【００４３】
＜実施例３＞
図４に示すように、透明基材４２として、厚さ１００μｍのＰＥＴフィルム上に、第一の透明導電層４３及び第二の透明導電層４４としてインジウム錫酸化物（以下ＩＴＯと称す）を形成し、上記の二つの導電層間の静電容量の変化を検出する検出回路４５を結線してフィルムセンサ４１とした。ＩＴＯのシート抵抗値は５ｋΩ／□となるように形成した。発信する交流信号、及び交流信号の比較方法は実施例１と同様にして行った。通常状態では、ブリッジ回路が平衡状態であり、点Ａと点Ｂは同じ波形の交流信号となっているので、点Ａの交流信号と極性が反転した点Ｂ交流信号を足し算すると常に零となった。次ぎに、第一の透明導電層４３に手を接触させると、比較回路では信号が出力された。これはブリッジ回路の平衡状態が変化したことを示し、フィルムセンサとして機能することが出来た。
【００４４】
＜実施例４＞
図５に示すように、透明基材５２として、厚さ１００μｍのＰＥＴフィルム上に、第一の透明導電層５３及び第二の透明導電層５４としてインジウム錫酸化物（以下ＩＴＯと称す）を形成し、上記の二つの導電層間の静電容量の変化を検出する検出回路５５を結線してフィルムセンサ５１とした。ＩＴＯのシート抵抗値は５ｋΩ／□となるように形成した。発信する交流信号、及び交流信号の比較方法は実施例１と同様にして行った。通常状態では、ブリッジ回路が平衡状態であり、点Ａと点Ｂは同じ波形の交流信号となっているので、点Ａの交流信号と極性が反転した点Ｂ交流信号を足し算すると常に零となった。次ぎに、第一の透明導電層４３に手を接触させると、比較回路では信号が出力された。これはブリッジ回路の平衡状態が変化したことを示し、フィルムセンサとして機能することが出来た。
【００４５】
＜実施例５＞
図６に示すように、透明基材６２として、厚さ１００μｍのＰＥＴフィルム上に、第一の透明導電層６３及び第二の透明導電層６４としてインジウム錫酸化物（以下ＩＴＯと称す）を形成し、上記の二つの導電層間の静電容量の変化を検出する検出回路６５を結線した。ＩＴＯのシート抵抗値は２ｋΩ／□となるように形成した。更に第一の透明導電層６３上に粘着層を貼り合わせ、第二の透明導電層６４上に紫外線硬化型のアクリル樹脂を塗工、紫外線照射して硬化させてハードコート層を形成してフィルムセンサ６１とした。次いでフィルムセンサ６１の粘着面と厚さ３ｍｍのガラス板を貼り合わせて、フィルムセンサ６１を窓ガラス上に貼り付けたのと同じ状態にした。発信する交流信号、及び交流信号の比較方法は実施例１と同様にして行った。通常状態では、上記実施例と同じようにブリッジ回路は平衡状態にあり、点Ａの交流信号と極性が反転した点Ｂ交流信号を足し算すると常に零となった。第一の透明導電層側であるガラスに手を接触させると、比較回路では信号が出力された。これはブリッジ回路の平衡状態が変化したことを示し、ガラスに貼合させた状態でフィルムセンサとして機能することが確認出来た。
【００４６】
＜実施例６＞
透明基材６２として、厚さ１００μｍの紫外線吸収剤入りＰＥＴフィルムを用いた以外は実施例５と同様の構成でフィルムセンサ６１を作製した。フィルムセンサの紫外域の３８０ｎｍの透過率は、実施例５では４５％であったが、本実施例では０．５％で、紫外線吸収性が向上した。フィルムセンサ６１としても実施例５同様に機能を確認できた。
【００４７】
以上の結果より、本発明によれば、検出電極となる導電性フィルムの対極を同一面、若しくは反対面に形成して、一つのフィルム内で静電容量の変化が検出できるフィルムセンサとすることにより、非常に検出安全性に優れ、フィルムセンサを設置するためには、窓枠の交換が必要なく、既に建てられた住宅も改造は不要であり安価に設置可能なフィルムセンサを提供できる。さらに、透明基材を積層構造、若しくは透明基材と粘着層で貼り合わせた２層以上の多層ラミネート構造とすることにより、突き刺し強度や引き裂き強度に優れたフィルムセンサとすることが出来、ガラスを破って家や建築物内に侵入する「ガラス破り」に対応した防犯性の高いフィルムセンサとすることが出来る。
【図面の簡単な説明】
【００４８】
【図１】本発明の請求項１のフィルムセンサの層構成の一例である。
【図２】図１のフィルムセンサで用いられる検出回路の一例の等価回路である。
【図３】本発明の請求項２のフィルムセンサの層構成の一例である。
【図４】本発明の請求項３のフィルムセンサの層構成の一例である。
【図５】本発明の請求項４のフィルムセンサの層構成の一例である。
【図６】本発明の請求項６のフィルムセンサの層構成の一例である。
【図７】本発明の請求項８のフィルムセンサの層構成の一例である。
【図８】本発明の請求項９〜１１のフィルムセンサの層構成の一例である。
【符号の説明】
【００４９】
１１、３１、４１、５１、６１、７１、８１・・・フィルムセンサ
１２、３２、４２、５２、６２、７２、８２・・・透明基材
１３、３３、４３、５３、６３、７３、８３・・・第一の導電層
１４、３４、４４、５４、６４、７４、８４・・・第二の導電層
１５、３５、４５、５５、６５、７５、８５・・・検出回路
６６、７６、８６・・・粘着層又は接着層
６７、７７、８７・・・ハードコート層
２２、２３、２４、２５・・・静電容量
２６・・・交流信号発信部
２７・・・比較回路
２８・・・侵入者
２９・・・侵入者の浮遊容量
【図１】
2007219596.tif 000003
【図２】
2007219596.tif 000004
【図３】
2007219596.tif 000005
【図４】
2007219596.tif 000006
【図５】
2007219596.tif 000007
【図６】
2007219596.tif 000008
【図７】
2007219596.tif 000009
【図８】
2007219596.tif 000010